(57)【特許請求の範囲】
【請求項１】
コンピュータを、
入稿データに対して印刷設定を施した仕上がりのプレビューをシート単位に表示するプレビュー領域と、前記シート単位に前記印刷設定の例外を設定させる例外ページ設定領域とを有するジョブ編集画面を表示装置に表示させる手段、
前記プレビュー領域に表示している前記プレビューのうち、前記印刷設定の例外が設定された前記シートに対応する前記プレビューに、前記印刷設定の例外が設定されたことを表す情報を付与して表示させる手段、
前記プレビュー領域に表示している前記シートを第１の操作手段により選択された場合、前記プレビュー領域に表示している該シートの背景を、他のシートに対応する前記プレビューの背景の表示態様とは異なる第１の表示態様で表示するとともに、前記プレビュー領域に表示している該シートに対応する前記プレビューに、前記印刷設定の内容を表す情報を付与して表示させる手段、
として機能させる印刷設定編集プログラム。
【請求項２】
前記ジョブ編集画面を表示装置に表示させる手段は、前記シート単位に設定させた前記印刷設定の例外を前記例外ページ設定領域において解除させること
を特徴とする請求項１記載の印刷設定編集プログラム。
【請求項３】
前記印刷設定の例外には、モノクロ／カラー、片面／両面、ステープル、紙種／用紙サイズの設定が含まれること
を特徴とする請求項１又は２記載の印刷設定編集プログラム。
【請求項４】
前記ジョブ編集画面を表示装置に表示させる手段は、入稿データの前記シートをツリー表示するツリー表示領域を前記ジョブ編集画面に表示させ、前記プレビュー領域に表示している前記シートを前記第１の操作手段とは異なる第２の操作手段により選択された場合、前記プレビュー領域及び前記ツリー表示領域に表示している該シートに対応する前記プレビューの背景を、他のシートに対応する前記プレビューの背景の表示態様及び前記第１の表示態様とは異なる第２の表示態様で表示させる請求項１乃至３のいずれか一項に記載の印刷設定編集プログラム。
【請求項５】
入稿データに対して印刷設定を施した仕上がりのプレビューをシート単位に表示するプレビュー領域と、前記シート単位に前記印刷設定の例外を設定させる例外ページ設定領域とを有するジョブ編集画面を表示装置に表示させる手段と、
前記プレビュー領域に表示している前記プレビューのうち、前記印刷設定の例外が設定された前記シートに対応する前記プレビューに、前記印刷設定の例外が設定されたことを表す情報を付与して表示させる手段と、
前記プレビュー領域に表示している前記シートを第１の操作手段により選択された場合、前記プレビュー領域に表示している該シートの背景を、他のシートに対応する前記プレビューの背景の表示態様とは異なる第１の表示態様で表示するとともに、前記プレビュー領域に表示している該シートに対応する前記プレビューに、前記印刷設定の内容を表す情報を付与して表示させる手段と、
を有することを特徴とする印刷設定編集装置。
【請求項６】
コンピュータによって実行される印刷設定編集方法であって、
前記コンピュータが、
入稿データに対して印刷設定を施した仕上がりのプレビューをシート単位に表示するプレビュー領域と、前記シート単位に前記印刷設定の例外を設定させる例外ページ設定領域とを有するジョブ編集画面を表示装置に表示させるステップと、
前記プレビュー領域に表示している前記プレビューのうち、前記印刷設定の例外が設定された前記シートに対応する前記プレビューに、前記印刷設定の例外が設定されたことを表す情報を付与して表示させるステップと、
前記プレビュー領域に表示している前記シートを第１の操作手段により選択された場合、前記プレビュー領域に表示している該シートの背景を、他のシートに対応する前記プレビューの背景の表示態様とは異なる第１の表示態様で表示するとともに、前記プレビュー領域に表示している該シートに対応する前記プレビューに、前記印刷設定の内容を表す情報を付与して表示させるステップと、
を実行することを特徴とする印刷設定編集方法。
【発明の詳細な説明】
【技術分野】
【０００１】
本発明は、作業者に印刷設定を編集させる印刷設定編集プログラム、印刷設定編集装置及び印刷設定編集方法に関する。
【背景技術】
【０００２】
顧客より印刷物（カタログ、広告等）を受け取り、印刷物から顧客が希望する印刷出力物を生成し、印刷出力物を顧客に納品することで報酬を得る商業印刷業界では、印刷物の受け取りから納品に至るまで、複数の工程を踏んで作業を行っている。印刷物の受け取りから納品に至るまでの工程としては、顧客からの印刷物の入稿、印刷出力物の印刷条件の受付、色修正、レイアウト修正、綴じ位置修正といったプリプレス作業、顧客のプリプレス結果確認の為のプルーフプリント、印刷作業や印刷後の印刷とじ、圧着といった後工程処理、印刷出力物の顧客への納品といったものがあった。なお、印刷物の受け取りから納品に至るまでの工程は、顧客の要望する印刷出力物の印刷条件に伴い増減が発生する。
【０００３】
従来の商業印刷業界では、顧客から大量印刷を行う印刷物の受注が多く、前述した工程で印刷出力物の量産に対応していた、また、大量印刷を行う印刷物は、顧客からの印刷出力物の印刷条件が固定化されるケースが多かった。したがって、従来の商業印刷業界では決定した一つの印刷条件で大量印刷を行い、ロットの印刷終了後、印刷条件を変更し再び大量印刷を行うといった印刷サイクルで、顧客の要望する印刷出力物を生成していた。
【０００４】
この印刷サイクルにおいて、前述した複数の工程は印刷条件が変更になった場合に発生することが多かった。したがって、印刷条件に変更が無い場合、商業印刷業者は同一の工程での連続印刷が可能であり、効率的な大量印刷作業を行うことができた。
【０００５】
近年、商業印刷業界にはＰＯＤ（Print On Demand ）と呼ばれる、比較的小ロットの印刷物を短納期で顧客に納品するといったＰＯＤ市場が出現している。ＰＯＤ市場では複数の顧客からの受注が発生することが多い。結果としてＰＯＤ市場では商業印刷業者に入稿される印刷物や、印刷出力物の印刷条件などが多岐にわたることが多い。
【０００６】
併せて、近年は印刷物のデジタル化が進み、コンピュータを使用した印刷物生成の為の制御がなされるようになった。例えば印刷物を、ネットワークを介して電子データとして入稿したり、前述した複数の工程を制御したりするワークフローといった技術が現れるようになった。例えば、前述したワークフローでは前述した複数の工程での印刷動作をＪＤＦ（Job Definition Format ）と呼ばれるジョブチケットで定義し、印刷システムで印刷動作を制御しているものもある。
【０００７】
このような印刷環境の変化に伴い、商業印刷業者は受注した印刷物を生成する為に印刷システムのコンピュータ化を進めてきた。一方で、商業印刷業者は顧客からの多岐にわたる印刷出力物の印刷条件などに対応できる印刷システムの構築が併せて必要となってきている。さらに、顧客の要望である多岐にわたる印刷出力物を生成する為に、複数のプリンタ装置やデバイス（周辺）装置の導入といったシステム面の対応や、前述した複数の工程の比較的短いサイクルでの変更といった作業工程面での対応も必要となってきた。
【０００８】
商業印刷業者は、前述したような対応が必要となってきたが、利益を産み出す為に更なる業務効率の向上が必要となってくる。業務効率の向上に繋がる施策として、作業の簡素化が一つにある。
【０００９】
例えば作業者に印刷設定を編集させる印刷設定編集装置では、入稿された電子データに対して、片面／両面、ステープル、モノクロ／カラーなどの印刷設定を施した仕上がりのプレビューを表示する技術が従来から知られている。また、作業者の負担を軽減させるために、プレビューイメージとして表示された印刷対象物をより簡単に編集可能なスプールデータ生成装置は従来から知られている（例えば特許文献１参照）。
【００１０】
また、近年の多様化する印刷要求に対応するため、入稿された電子データに対して部分的に片面／両面、ステープル、モノクロ／カラーなどの印刷設定を施して印刷する技術は従来から知られている。例えばプレビューを表示しながら、全体での印刷設定と章ごとの印刷設定とを独立して設定可能な印刷制御装置は従来から知られている（例えば特許文献２参照）。
【発明の概要】
【発明が解決しようとする課題】
【００１１】
しかしながら、プレビューを表示しながら、全体での印刷設定と章ごとの印刷設定とを独立して設定可能な印刷制御装置では、全体での印刷設定が施されたプレビューと章ごとの印刷設定が施されたプレビューとが容易に区別できないという問題があった。例えばモノクロの印刷データのプレビューと印刷設定がモノクロのプレビューとは容易に区別できない。また、印刷設定が片面のプレビューと印刷設定が両面のプレビューとも容易に区別できない。
【００１２】
このように、プレビューを表示しながら、全体での印刷設定と章ごとの印刷設定とを独立して設定可能な印刷制御装置は、全体での印刷設定が施されたプレビューと章ごとの印刷設定が施されたプレビューとが容易に区別できず、操作性が悪かった。
【００１３】
本発明は、上記の点に鑑みなされたもので、部分的な印刷設定が施された印刷データのプレビューを容易に区別できる印刷設定編集プログラム、印刷設定編集装置及び印刷設定編集方法を提供することを目的とする。
【課題を解決するための手段】
【００１４】
上記課題を解決するため、本発明は、コンピュータを、入稿データに対して印刷設定を施した仕上がりのプレビューをシート単位に表示するプレビュー領域と、前記シート単位に前記印刷設定の例外を設定させる例外ページ設定領域とを有するジョブ編集画面を表示装置に表示させる手段、前記プレビュー領域に表示している前記プレビューのうち、前記印刷設定の例外が設定された前記シートに対応する前記プレビューに、前記印刷設定の例外が設定されたことを表す情報を付与して表示させる手段として機能させる印刷設定編集プログラムであることを特徴とする。
【００１５】
なお、本発明の構成要素、表現または構成要素の任意の組合せを、方法、装置、システム、コンピュータプログラム、記録媒体、データ構造などに適用したものも本発明の態様として有効である。
【発明の効果】
【００１６】
本発明によれば、部分的な印刷設定が施された印刷データのプレビューを容易に区別できる。
【図面の簡単な説明】
【００１７】
【図１】本発明を適用した印刷システムを含む一例のシステム構成図である。
【図２】ＰＣの一例のハードウェア構成図である。
【図３】印刷制御ＰＣの一例の処理ブロック図である。
【図４】印刷制御ＰＣの他の例の処理ブロック図である。
【図５】ジョブ編集画面の一例のイメージ図である。
【図６】例外ページ設定領域の一例の拡大図である。
【図７】例外ページが設定されたときにプレビュー領域に表示されるプレビューの一例のイメージ図である。
【図８】例外ページが一部解除されたときにプレビュー領域に表示されるプレビューの一例のイメージ図である。
【図９】例外ページが設定されたときのツリー表示領域及びプレビュー領域の一例のイメージ図である。
【図１０】例外ページが設定されたときのツリー表示領域及びプレビュー領域の一例のイメージ図である。
【図１１】例外ページが一部解除されたときにプレビュー領域に表示されるプレビューの一例のイメージ図である。
【図１２】例外ページが一部解除されたときにプレビュー領域に表示されるプレビューの他の例のイメージ図である。
【図１３】例外ページが解除されたときにプレビュー領域に表示されるプレビューの一例のイメージ図である。
【図１４】ページが挿入されたときにプレビュー領域に表示されるプレビューの一例のイメージ図である。
【図１５】ページが挿入されたときにプレビュー領域に表示されるプレビューの他の例のイメージ図である。
【図１６】ジョブ編集画面の他の例のイメージ図である。
【図１７】紙種／用紙サイズの例外ページ設定画面の一例のイメージ図である。
【図１８】用紙種類選択画面の一例のイメージ図である。
【図１９】設定内容一覧表示領域に一覧表示されている設定内容が変更された紙種／用紙サイズの例外ページ設定画面の一例のイメージ図である。
【図２０】プレビュー領域のプレビューが設定内容一覧表示領域に一覧表示されている設定内容に基づいて変更されたジョブ編集画面の一例のイメージ図である。
【図２１】例外ページが設定されたときにプレビュー領域に表示されるプレビューの一例のイメージ図である。
【図２２】例外ページが設定されたときにプレビュー領域に表示されるプレビューの他の例のイメージ図である。
【図２３】例外ページが設定されたときにプレビュー領域に表示されるプレビューの他の例のイメージ図である。
【図２４】ジョブ編集部が行う処理の手順を表した一例のフローチャートである。
【図２５】ジョブ編集部が行う処理の手順を表した他の例のフローチャートである。
【発明を実施するための形態】
【００１８】
次に、本発明を実施するための最良の形態を、以下の実施例に基づき図面を参照しつつ説明していく。
【００１９】
図１は本発明を適用した印刷システムを含む一例のシステム構成図である。図１のシステムは顧客ＰＣ１と印刷システム２とがインターネット等のネットワーク３を介して接続されている。顧客ＰＣ１は顧客が利用する装置である。印刷システム２は商業印刷業者などの作業者が利用するシステムである。
【００２０】
また、印刷システム２は管理サーバ１１、印刷制御ＰＣ１２、プリンタ装置１４、デバイス装置１５、ＬＡＮなどのネットワーク１６を有する。管理サーバ１１、印刷制御ＰＣ１２及びプリンタ装置１４はネットワーク１６を介して接続されている。
【００２１】
管理サーバ１１は顧客からの入稿データを管理する装置である。印刷制御ＰＣ１２は印刷制御を行う装置である。プリンタ装置１４は印刷出力物を印刷する装置である。デバイス装置１５は印刷処理や後工程処理で必要となる装置であり、プリンタ装置１４と接続されている。
【００２２】
顧客は顧客ＰＣ１を操作し、ネットワーク３を介して、印刷物の印刷データ及び印刷条件を入稿データとして管理サーバ１１に送信する。管理サーバ１１は顧客ＰＣ１から受信した入稿データを管理する。印刷システムを利用して印刷出力物の生成作業を行う作業者は印刷制御ＰＣ１２から管理サーバ１１にアクセスして入稿データを取得し、後述のような印刷制御により印刷出力物の生成作業を行う。また、印刷制御ＰＣ１２はプリンタ装置１４の状態を取得する。ここで言うプリンタ装置１４の状態とは、プリンタ装置１４が印刷可能な状態、プリンタ装置１４が印刷不可の状態、プリンタ装置１４に接続されているデバイス装置１５の状態、等が該当する。
【００２３】
印刷制御ＰＣ１２は図２に示すようなハードウェア構成のＰＣにより実現される。図２はＰＣの一例のハードウェア構成図である。ＰＣ２０はバス２９で相互に接続されている入力装置２１、出力装置２２、記録媒体読取装置２３、補助記憶装置２４、主記憶装置２５、演算処理装置２６及びインタフェース装置２７を含む。
【００２４】
入力装置２１はキーボードやマウス等である。入力装置２１は各種信号を入力するために用いられる。出力装置２２はディスプレイ装置等である。出力装置２２は各種ウインドウやデータ等を表示するために用いられる。インタフェース装置２７は、モデム，ＬＡＮカード等である。インタフェース装置２７は、ネットワーク１６に接続するために用いられる。
【００２５】
印刷制御ＰＣ１２に搭載される印刷制御プログラム（以下、単にプログラムという）はＰＣ２０を制御する各種プログラムの少なくとも一部である。プログラムは例えば記録媒体２８の配布やネットワーク１６等からのダウンロードなどによって提供される。
【００２６】
記録媒体２８はＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２７】
プログラムを記録した記録媒体２８が記録媒体読取装置２３にセットされると、プログラムは記録媒体２８から記録媒体読取装置２３を介して補助記憶装置２４にインストールされる。ネットワーク１６等からダウンロードされたプログラムはインタフェース装置２７を介して補助記憶装置２４にインストールされる。
【００２８】
補助記憶装置２４は、インストールされたプログラム、必要なファイル、データ等を格納する。主記憶装置２５はプログラムの起動時に、補助記憶装置２４からプログラムを読み出して格納する。そして、演算処理装置２６は主記憶装置２５に格納されたプログラムに従って、後述するような各種処理を実現している。
【００２９】
図１に示すようなシステムの場合、印刷制御ＰＣ１２は例えば図３に示すような処理ブロックで実現される。図３は印刷制御ＰＣの一例の処理ブロック図である。印刷制御ＰＣ１２はプログラムを実行することで、ジョブ制御部３１、ＵＩ制御部３２、ジョブ編集部３３、プリンタ制御部３５を実現する。
【００３０】
ジョブ制御部３１は入稿データをプリンタ装置１４で印刷可能なデータ形式に変換したジョブ（ジョブデータ）を生成する。ジョブ制御部３１は印刷可能なデータ形式の一例として例えば一般的なＰＳ（PostScript）形式といったデータ型に変換する。ＵＩ制御部３２は作業者に各種画面を提示し、作業者からの印刷設定を受け付ける。
【００３１】
ジョブ編集部３３はＵＩ制御部３２と通信を行い、ＵＩ制御部３２が受け付けた印刷設定などの印刷設定情報を処理する。また、プリンタ制御部３５はプリンタ装置１４の状態を取得し、ジョブ制御部３１へ送信する。プリンタ制御部３５はジョブデータに従ってプリンタ装置１４の処理を制御する。
【００３２】
一例を挙げると、ジョブ編集部３３はＵＩ制御部３２から印刷設定として面付け設定が実施された場合、面付け設定情報を処理する。面付け設定情報を処理することで、ジョブ編集部３３は面付け設定情報に従ってジョブを印刷する為のＪＤＦを作成する。ジョブ編集部３３は面付け設定情報をＪＤＦに格納する。
【００３３】
また、ジョブ編集部３３はＵＩ制御部３２から印刷設定として後処理設定が実施された場合、後処理設定情報を処理する。後処理設定情報を処理することで、ジョブ編集部３３は後処理設定情報に従って後処理する為のＪＤＦを作成する。ジョブ編集部３３は後処理設定情報をＪＤＦに格納する。
【００３４】
また、ジョブ編集部３３はＵＩ制御部３２から印刷設定として構成設定が実施された場合、構成設定情報を処理する。構成設定情報を処理することで、ジョブ編集部３３は構成設定情報に従ってジョブを印刷する為のＪＤＦを作成する。ジョブ編集部３３は構成設定情報をＪＤＦに格納する。
【００３５】
また、ジョブ編集部３３はＵＩ制御部３２から印刷設定として用紙設定が実施された場合、用紙設定情報を処理する。用紙設定情報を処理することで、ジョブ編集部３３は用紙設定情報に従ってジョブを印刷する為のＪＤＦを作成する。ジョブ編集部３３は用紙設定情報をＪＤＦに格納する。
【００３６】
さらに、ジョブ編集部３３はＵＩ制御部３２から印刷設定として例外設定が実施された場合、例外設定情報を処理する。例外設定情報を処理することで、ジョブ編集部３３は例外設定情報に従ってジョブを印刷する為のＪＤＦを作成する。ジョブ編集部３３は例外設定情報をＪＤＦに格納する。
【００３７】
図４は印刷制御ＰＣの他の例の処理ブロック図である。図４の印刷制御ＰＣ１２Ａはプログラムを実行することで、ジョブ制御部３１、ＵＩ制御部３２、ジョブ編集部３３、印刷管理部３４、プリンタ制御部３５を実現する。図４の印刷制御ＰＣ１２Ａは印刷管理部３４を有する点で図３の印刷制御ＰＣ１２と異なる。
【００３８】
印刷管理部３４はプリンタ装置１４で行う印刷の管理を行う。印刷管理部３４は例えばプリンタ装置１４で実行されている印刷ジョブの実行状況や実行結果、プリンタ装置１４の状態を管理し、必要に応じて印刷ジョブの実行状況や実行結果をＵＩ制御部３２に表示させる。プリンタ制御部３５は印刷管理部３４による印刷管理に従って、プリンタ装置１４によるジョブデータの処理を制御する。
【００３９】
以下では、図３の印刷制御ＰＣ１２の処理ブロックの構成において、作業者が印刷制御ＰＣ１２を操作してジョブ編集画面を表示させたあと、例外設定を行った時の処理の流れについて説明する。
【００４０】
ＵＩ制御部３２は例えば図５に示すようなジョブ編集画面を作業者に提示し、作業者にジョブ編集を行わせる。図５はジョブ編集画面の一例のイメージ図である。図５のジョブ編集画面５０は用紙／面付け／後処理タブが選択された画面例である。
【００４１】
図５のジョブ編集画面５０は、ツリー表示領域５１、プレビュー領域５２、例外ページ設定領域５３、紙種／用紙サイズの例外ページ設定ボタン５４、プリンタ選択領域５５を有する。
【００４２】
ツリー表示領域５１は入稿データのシートをツリー表示する領域である。ツリー表示領域５１は入稿データのシート毎に、シート番号、モノクロ／カラー、片面／両面、用紙サイズ、仕上げの情報を表している。ここで、シートとはカットシートの枚に相当する。
【００４３】
プレビュー領域５２は、印刷設定が施された入稿データのシートのプレビューを表している。例外ページ設定領域５３はシート毎に、モノクロ／カラー、片面／両面、ステープルの設定の例外（例外ページ）を設定する領域である。紙種／用紙サイズの例外ページ設定ボタン５４はシート毎に、紙種／用紙サイズの設定の例外（例外ページ）を設定する紙種／用紙サイズの例外ページ設定画面を表示するためのボタンである。プリンタ選択領域５５はプリンタ装置１４を選択する領域である。
【００４４】
図５のジョブ編集画面５０は「シート１」が選択された状態（マウスなどでクリックして選択している状態）を表し、例えばツリー表示領域５１の「シート１」とプレビュー領域５２の「シート１」との背景が濃い黄色などで表示される。
【００４５】
図６は例外ページ設定領域の一例の拡大図である。図６の例外ページ設定領域５３は例外を設定する項目として片面／両面を選択するためのアイコン６１、モノクロ／カラーを選択するためのアイコン６２、ステープルを選択するためのアイコン６３、設定した例外を解除するためのアイコン６４、例外を設定する又は解除するシート番号を表すシート番号領域６５、アイコン６１〜６３により選択した例外の設定を行う例外設定領域６６を有している。なお、アイコン６１〜６３はプリンタ選択領域５５から選択されたプリンタ装置１４がサポートしていない項目であるときにグレーアウトし、選択できない。
【００４６】
例えば図５のジョブ編集画面５０の場合に「シート２」から「シート６」までの片面の設定を例外ページ設定領域５３から両面に設定すると、プレビュー領域５２には図７に示すようなプレビューが表示される。
【００４７】
図７は例外ページが設定されたときにプレビュー領域に表示されるプレビューの一例のイメージ図である。「シート１」は片面の設定である。「シート２」から「シート４」までは両面の設定である。「シート２」から「シート４」までは例外が設定された例外ページであるため、例外ページ適用マーク７１が付与されている。図７は例外が設定された例外ページに例外ページ適用マーク７１を付与することで識別し易くしている。
【００４８】
なお、図７の「シート１」のプレビューにおける裏面は、片面の設定であるため白紙である。また、図７の「シート４」のプレビューにおける裏面は、両面の設定であるが表面が章の最終ページであるため白紙である。
【００４９】
また、図７は「シート１」が選択された状態（マウスなどでクリックして選択している状態）を表し、例えば「シート１」のプレビューの背景を濃い黄色などで表示することで識別し易くしている。さらに、図７は「シート４」がフォーカスされた状態（マウスのポインタなどでフォーカスされている状態）を表し、例えば「シート４」のプレビューの背景を薄い黄色などで表示することで識別し易くしている。なお、図７ではフォーカスされている「シート４」の印刷設定情報７２が表示されている。
【００５０】
図７のプレビューにおいて「シート２」の両面の設定（例外）を例外ページ設定領域５３から片面に設定（解除）すると、プレビュー領域５２には図８に示すプレビューが表示される。
【００５１】
図８は例外ページが一部解除されたときにプレビュー領域に表示されるプレビューの一例のイメージ図である。図８のプレビューでは、図７の「シート２」の例外が解除された為に、片面の設定である「シート２」と「シート３」とに分かれて表示される。例外が解除された為、図８の「シート２」及び「シート３」のプレビューは例外ページ適用マーク７１が付与されていない。
【００５２】
なお、図８の「シート１」から「シート３」のプレビューにおける裏面は、片面の設定であるため白紙である。また、図８の「シート５」のプレビューにおける裏面は、両面の設定であるが表面が章の最終ページであるため白紙である。
【００５３】
例えば図５のジョブ編集画面５０の場合に「シート４」及び「シート５」の片面の設定を例外ページ設定領域５３から両面に設定すると、プレビュー領域５２には図９に示すようなプレビューが表示される。
【００５４】
図９は、例外ページが設定されたときのツリー表示領域及びプレビュー領域の一例のイメージ図である。「シート１」から「シート３」は片面の設定である。「シート４」は両面の設定である。「シート５」は片面の設定である。「シート４」は、例外が設定された例外ページであるため、例外ページ適用マーク７１が付与されている。
【００５５】
また、図９のツリー表示領域５１は「シート４」の片面／両面を表す情報が両面を表すアイコンに変化している。なお、図９の「シート１」から「シート３」のプレビューにおける裏面は、片面の設定であるため白紙である。図９の「シート５」のプレビューにおける裏面も、片面の設定であるため白紙である。
【００５６】
例えば図５のジョブ編集画面５０の場合に「シート２」と「シート３」との片面の設定及び「シート５」と「シート６」との片面の設定を例外ページ設定領域５３から両面に設定すると、プレビュー領域５２には図１０に示すようなプレビューが表示される。図１０は例外ページが設定されたときのツリー表示領域及びプレビュー領域の一例のイメージ図である。
【００５７】
「シート１」及び「シート３」は片面の設定である。「シート２」及び「シート４」は両面の設定である。「シート２」及び「シート４」は、例外が設定された例外ページであるため、例外ページ適用マーク７１が付与されている。また、図１０のツリー表示領域５１は「シート２」及び「シート４」の片面／両面を表す情報が両面を表すアイコンに変化している。なお、図１０の「シート１」及び「シート３」のプレビューにおける裏面は片面の設定であるため白紙である。
【００５８】
さらに、例外ページを設定したとき及び例外ページを解除したときにプレビュー領域５２に表示されるプレビューのバリエーションについて説明する。なお、以下の説明ではプレビュー領域５２及びプレビューを簡略的に表した図で説明する。
【００５９】
図１１は例外ページが一部解除されたときにプレビュー領域に表示されるプレビューの一例のイメージ図である。図１１（Ａ）は「シート１」及び「シート４」が両面の設定であり、「シート２」及び「シート３」が片面の設定された例外ページである。
【００６０】
図１１（Ａ）において「シート２」を選択して例外を解除すると、プレビュー領域５２に表示されるプレビューは、図１１（Ｂ）に示すようになる。図１１（Ｂ）では「シート１」「シート２」及び「シート４」が両面の設定であり、「シート３」が片面の設定された例外ページである。「シート２」は両面の設定であるが「シート３」が片面の設定であるため白紙となる。
【００６１】
図１１（Ｂ）において、両面の設定の「シート２」及び片面の設定の「シート３」はプレビューの見た目が同じとなる。しかし、ジョブ編集画面５０は例外ページ適用マーク７１を「シート３」のプレビューに付与することで例外ページの識別を容易としている。
【００６２】
図１２は例外ページが一部解除されたときにプレビュー領域に表示されるプレビューの他の例のイメージ図である。図１２（Ａ）は「シート１」及び「シート４」が両面の設定であり、「シート２」及び「シート３」が片面の設定された例外ページである。
【００６３】
図１２（Ａ）において「シート３」を選択して例外を解除すると、プレビュー領域５２に表示されるプレビューは、図１２（Ｂ）に示すようになる。図１２（Ｂ）では「シート１」「シート３」及び「シート４」が両面の設定であり、「シート２」が片面の設定された例外ページである。「シート３」は両面の設定であるため、４ページ以降のページが順次割り付けられる。例えば「シート３」には表面に４ページ、裏面に５ページが割り付けられている。「シート４」には表面に６ページ、裏面に白紙が割り付けられている。
【００６４】
図１２（Ｂ）において、片面の設定の「シート２」及び両面の設定の「シート４」はプレビューの見た目が同じとなる。しかし、ジョブ編集画面５０は例外ページ適用マーク７１を「シート２」のプレビューに付与することで例外ページの識別を容易としている。
【００６５】
図１３は例外ページが解除されたときにプレビュー領域に表示されるプレビューの一例のイメージ図である。例えば図１３（Ａ）は図１１（Ａ）と同様である。図１３（Ａ）において「シート２」及び「シート３」を選択して例外を解除すると、プレビュー領域５２に表示されるプレビューは、図１３（Ｂ）に示すようになる。
【００６６】
図１３（Ｂ）では「シート１」から「シート３」が両面の設定である。「シート２」は両面の設定であるため、２及び３ページが割り付けられる。例えば「シート２」には表面に３ページ、裏面に４ページが割り付けられている。「シート２」及び「シート３」に付与されていた例外ページ適用マーク７１は、「シート２」及び「シート３」の例外の設定が解除されたため、削除されている。
【００６７】
図１４はページが挿入されたときにプレビュー領域に表示されるプレビューの一例のイメージ図である。図１４（Ａ）は図１１（Ａ）と同様である。例えば図１４（Ａ）において３ページと４ページとの間に新たなページ（３'ページ）を挿入すると、プレビュー領域５２に表示されるプレビューは、図１４（Ｂ）に示すようになる。
【００６８】
「シート２」及び「シート４」が片面の設定された例外ページであるため、挿入された新たなページは「シート３」の表面に割り付けられる。「シート３」は例外ページでないため、両面の設定となる。
【００６９】
図１４（Ｂ）において「シート２」を選択して例外を解除すると、プレビュー領域５２に表示されるプレビューは、図１４（Ｃ）に示すようになる。図１４（Ｃ）では「シート１」「シート２」及び「シート４」が両面の設定であり、「シート３」が片面の設定された例外ページである。「シート２」は両面の設定であるため、３及び３'ページが割り付けられる。例えば「シート２」には、表面に３ページ、裏面に３'ページが割り付けられている。ジョブ編集画面５０は例外ページ適用マーク７１を「シート３」のプレビューに付与することで例外ページの識別を容易としている。
【００７０】
図１５はページが挿入されたときにプレビュー領域に表示されるプレビューの他の例のイメージ図である。図１５（Ａ）は図１１（Ａ）と同様である。図１５（Ａ）において２ページと３ページとの間に新たなページ（２'ページ）を挿入すると、プレビュー領域５２に表示されるプレビューは、図１５（Ｂ）に示すようになる。
【００７１】
「シート３」及び「シート４」が片面の設定された例外ページであるため、挿入された新たなページは「シート２」の表面に割り付けられる。「シート２」は例外ページでないため、両面の設定となる。
【００７２】
図１５（Ｂ）において「シート３」を選択して例外を解除すると、プレビュー領域５２に表示されるプレビューは、図１５（Ｃ）に示すようになる。図１５（Ｃ）では「シート１」「シート２」及び「シート４」が両面の設定であり、「シート３」が片面の設定された例外ページである。「シート２」は両面の設定であるため、２'及び３ページが割り付けられる。例えば「シート２」には、表面に２'ページ、裏面に３ページが割り付けられている。ジョブ編集画面５０は例外ページ適用マーク７１を「シート３」のプレビューに付与することで例外ページの識別を容易としている。
【００７３】
例えば図１６のジョブ編集画面５０から「シート２」を選択し、紙種／用紙サイズの例外ページ設定ボタン５４を押下すると、ＵＩ制御部３２は図１７のような紙種／用紙サイズの例外ページ設定画面８０を作業者に提示し、作業者に紙種／用紙サイズの例外ページを設定させる。
【００７４】
図１６はジョブ編集画面の他の例のイメージ図である。図１７は紙種／用紙サイズの例外ページ設定画面の一例のイメージ図である。図１７の紙種／用紙サイズの例外ページ設定画面８０は、用紙種類選択ボタン８１、設定内容一覧表示領域８２、用紙イメージを表示する用紙イメージ表示領域８３を有する。
【００７５】
用紙種類選択ボタン８１はシート毎に、用紙種類の設定の例外（例外ページ）を設定する図１８のような用紙種類選択画面９０を表示するためのボタンである。設定内容一覧表示領域８２は選択された「シート２」の設定内容が一覧表示される領域である。また、用紙イメージ表示領域８３は、選択された「シート２」の用紙イメージが表示される領域である。
【００７６】
図１８は用紙種類選択画面の一例のイメージ図である。図１８の用紙種類選択画面９０は用紙サイズを選択するためのプルダウンメニュー９１、色を選択するためのプルダウンメニュー９２、用紙イメージを表示する用紙イメージ表示領域９３を有する。図１８は用紙サイズがＡ３、色がシアンに設定された例を表している。図１８の用紙種類選択画面９０の状態でＯＫボタン９４がクリックされると、図１７の設定内容一覧表示領域８２に一覧表示されていた設定内容は図１９の設定内容一覧表示領域８２に一覧表示されている設定内容に変更される。図１７の用紙イメージ表示領域８３に表示されていた用紙イメージは図１９の用紙イメージ表示領域８３に表示されている用紙イメージに変更される。
【００７７】
図１９は設定内容一覧表示領域に一覧表示されている設定内容が変更された紙種／用紙サイズの例外ページ設定画面の一例のイメージ図である。図１９の紙種／用紙サイズの例外ページ設定画面８０の状態でＯＫボタン８４がクリックされると、プレビュー領域５２の「シート２」のプレビューは、設定内容一覧表示領域８２に一覧表示されている設定内容に基づいて変更される。
【００７８】
図２０はプレビュー領域のプレビューが設定内容一覧表示領域に一覧表示されている設定内容に基づいて変更されたジョブ編集画面の一例のイメージ図である。図２０のジョブ編集画面５０のプレビュー領域５２の「シート２」のプレビューは用紙サイズがＡ３、色がシアンに変更されている。ジョブ編集画面５０は例外ページ適用マーク７１を「シート２」のプレビューに付与することで例外ページの識別を容易としている。また、図２０のジョブ編集画面５０のプレビュー領域５２の「シート２」のプレビューには原稿のサイズが領域９１で表されている。
【００７９】
さらに、例外ページを設定したとき及び例外ページを解除したときにプレビュー領域５２に表示されるプレビューのバリエーションについて説明する。なお、以下の説明ではプレビュー領域５２及びプレビューを簡略的に表した図で説明する。
【００８０】
図２１は例外ページが設定されたときにプレビュー領域に表示されるプレビューの一例のイメージ図である。図２１（Ａ）は「シート１」から「シート３」がＡ３横両面２ＵＰの設定である。図２１（Ａ）において「シート２」を選択して用紙サイズをＡ３ノビに変更すると、プレビュー領域５２に表示されるプレビューは例えば図２１（Ｂ）に示すようになる。図２１（Ｂ）は、「シート２」がＡ３ノビ両面２ＵＰの設定された例外ページである。図２１（Ｂ）では、外側の実線で表される用紙サイズが大きくなっても内側の実線で表される原稿サイズが拡大されない。
【００８１】
また、図２１（Ａ）において「シート２」を選択して用紙サイズを例えばＢ４に変更すると、プレビュー領域５２に表示されるプレビューは例えば図２１（Ｃ）に示すようになる。図２１（Ｃ）は「シート２」がＢ４両面２ＵＰの設定された例外ページである。図２１（Ｂ）では、集約が指定されている場合、原稿サイズが縮小され、原稿サイズを指定している場合、原稿の一部が欠けてしまう。
【００８２】
また、図２１（Ａ）において「シート２」を選択して、用紙の色を例えば水色に変更すると、プレビュー領域５２に表示されるプレビューは例えば図２１（Ｄ）に示すようになる。図２１（Ｄ）は「シート２」の用紙の色が水色に設定された例外ページである。
【００８３】
図２２は例外ページが設定されたときにプレビュー領域に表示されるプレビューの他の例のイメージ図である。図２２（Ａ）は「シート１」から「シート６」がＡ３横両面２ＵＰ、左上ステープル綴じの設定である。図２２（Ａ）において「シート３」を選択して左上ステープル綴じ無しに変更すると、プレビュー領域５２に表示されるプレビューは例えば図２２（Ｂ）に示すようになる。図２２（Ｂ）は、「シート３」が左上ステープル綴じ無しの設定された例外ページである。
【００８４】
図２２（Ｂ）の状態で印刷すると、印刷結果は図２２（Ｃ）に示すようになる。具体的には「シート１」「シート２」がＡ３横両面２ＵＰ、左上ステープル綴じの設定で印刷される。また、「シート４」から「シート６」もＡ３横両面２ＵＰ、左上ステープル綴じの設定で印刷される。「シート３」はＡ３横両面２ＵＰ、左上ステープル綴じ無しの設定で印刷される。
【００８５】
図２３は例外ページが設定されたときにプレビュー領域に表示されるプレビューの他の例のイメージ図である。図２３（Ａ）は「シート１」から「シート４」が両面、カラー印刷の設定である。図２３（Ａ）において「シート２」を選択してカラー印刷からモノクロ印刷に変更すると、プレビュー領域５２に表示されるプレビューは例えば図２３（Ｂ）に示すようになる。図２３（Ｂ）は「シート２」がモノクロ印刷の設定された例外ページである。
【００８６】
なお、ジョブ編集部３３はプレビューに例外ページ適用マーク７１の付与を実現するために図２４に示すようなフローチャートの処理を行う。図２４はジョブ編集部が行う処理の手順を表した一例のフローチャートである。
【００８７】
ステップＳ１において、ジョブ編集部３３はジョブ編集画面５０から片面／両面の例外設定が行われたか否かを判定する。片面／両面の例外設定が行われていれば、ジョブ編集部３３はステップＳ２において、該当シートのジョブ情報に含まれる例外ページ設定をＯＮに変更すると共に、片面／両面を例外の設定とする。
【００８８】
片面／両面の例外設定が行われていなければ、ジョブ編集部３３はステップＳ３の処理を行う。また、ジョブ編集部３３はステップＳ２の処理を行ったあとでステップＳ３の処理を行う。
【００８９】
ステップＳ３において、ジョブ編集部３３はジョブ編集画面５０からカラー／モノクロの例外設定が行われたか否かを判定する。ジョブ編集部３３はカラー／モノクロの例外設定が行われていれば、ステップＳ４において、該当シートのジョブ情報に含まれる例外ページ設定をＯＮに変更すると共に、カラー／モノクロを例外の設定とする。
【００９０】
カラー／モノクロの例外設定が行われていなければ、ジョブ編集部３３はステップＳ５の処理を行う。また、ジョブ編集部３３はステップＳ４の処理を行ったあとでステップＳ５の処理を行う。
【００９１】
ステップＳ５において、ジョブ編集部３３はジョブ編集画面５０からステープルの例外設定が行われたか否かを判定する。ステープルの例外設定が行われていれば、ジョブ編集部３３はステップＳ６において、該当シートのジョブ情報に含まれる例外ページ設定をＯＮに変更すると共に、ステープルの有無を例外の設定とする。
【００９２】
ステープルの例外設定が行われていなければ、ジョブ編集部３３はステップＳ７の処理を行う。また、ジョブ編集部３３はステップＳ６の処理を行ったあとでステップＳ７の処理を行う。
【００９３】
ステップＳ７において、ジョブ編集部３３はジョブ編集画面５０から紙種／用紙サイズの例外設定が行われたか否かを判定する。ジョブ編集部３３は紙種／用紙サイズの例外設定が行われていれば、ステップＳ８において、該当シートのジョブ情報に含まれる例外ページ設定をＯＮに変更すると共に、紙種／用紙サイズを例外の設定とする。紙種／用紙サイズの例外設定が行われていないか、又は、ステップＳ８の処理を行ったあと、ジョブ編集部３３は図２４に示したフローチャートの処理を終了する。
【００９４】
なお、ジョブ情報は例えば補助記憶装置２４に記録しておく。ジョブ情報は主記憶装置２５に記録しておくようにしてもよい。
【００９５】
また、ジョブ編集部３３はプレビューに例外ページ適用マーク７１を表示するために図２５に示すようなフローチャートの処理を行う。図２５はジョブ編集部が行う処理の手順を表した他の例のフローチャートである。
【００９６】
ステップＳ１１において、ジョブ編集部３３は例えば補助記憶装置２４に記録されている該当シートのジョブ情報を参照し、片面／両面の例外設定が行われているか否かを判定する。片面／両面の例外設定が行われていれば、ジョブ編集部３３はステップＳ１２において、プレビュー領域５２に表示されるプレビューに片面／両面の例外設定の内容を反映させると共に、例外ページ適用マーク７１を表示する。
【００９７】
片面／両面の例外設定が行われていなければ、ジョブ編集部３３はステップＳ１３の処理を行う。また、ジョブ編集部３３はステップＳ１２の処理を行ったあとでステップＳ１３の処理を行う。
【００９８】
ステップＳ１３において、ジョブ編集部３３はジョブ情報を参照し、カラー／モノクロの例外設定が行われたか否かを判定する。ジョブ編集部３３はカラー／モノクロの例外設定が行われていれば、ステップＳ１４において、プレビュー領域５２に表示されるプレビューにカラー／モノクロの例外設定の内容を反映させると共に、例外ページ適用マーク７１を表示する。カラー／モノクロの例外設定が行われていなければ、ジョブ編集部３３はステップＳ１５の処理を行う。ジョブ編集部３３はステップＳ１４の処理を行ったあとでステップＳ１５の処理を行う。
【００９９】
ステップＳ１５において、ジョブ編集部３３はジョブ情報を参照し、ステープルの例外設定が行われたか否かを判定する。ステープルの例外設定が行われていれば、ジョブ編集部３３はステップＳ１６においてプレビュー領域５２に表示されるプレビューにステープルの例外設定の内容を反映させると共に、例外ページ適用マーク７１を表示する。
【０１００】
ステープルの例外設定が行われていなければ、ジョブ編集部３３はステップＳ１７の処理を行う。ジョブ編集部３３はステップＳ１６の処理を行ったあとでステップＳ１７の処理を行う。
【０１０１】
ステップＳ１７において、ジョブ編集部３３はジョブ情報を参照し、紙種／用紙サイズの例外設定が行われたか否かを判定する。ジョブ編集部３３は紙種／用紙サイズの例外設定が行われていれば、ステップＳ１８において、プレビュー領域５２に表示されるプレビューに紙種／用紙サイズの例外設定の内容を反映させると共に、例外ページ適用マーク７１を表示する。紙種／用紙サイズの例外設定が行われていないか、又は、ステップＳ１８の処理を行ったあと、ジョブ編集部３３は図２５に示したフローチャートの処理を終了する。
【０１０２】
以上、本発明によれば、シート毎に例外を設定する場合でも、プレビュー領域５２に表示されるプレビューを表示しながら例外の設定や解除などの編集作業を行うことが可能であるため、期待する印刷結果を容易に得ることができる。
【０１０３】
また、本発明によれば、プレビュー領域５２に表示されるプレビューを実際の用紙の物理的配置に即して（例えば片面の設定であっても裏面を白紙で）表示できる。
【０１０４】
なお、本発明ではプレビュー領域５２に表示されるプレビューを実際の用紙の物理的配置に即して表示したときに、片面の設定のプレビューか両面の設定のプレビューか容易に区別できないという課題に対して、例外ページに例外ページ適用マーク７１を付与することで識別し易くしている。本発明では例外ページに例外ページ適用マーク７１を付与することで、見た目が同じプレビューであっても、例外ページのプレビューであるか否かを容易に識別できる。
【０１０５】
本発明は、具体的に開示された実施例に限定されるものではなく、特許請求の範囲から逸脱することなく、種々の変形や変更が可能である。
【０１０６】
なお、特許請求の範囲に記載したジョブ編集画面を表示装置に表示させる手段及び印刷設定の例外が設定されたことを表す情報を付与して表示させる手段はＵＩ制御部３２に相当する。また、特許請求の範囲に記載した印刷設定編集プログラムが印刷制御プログラムに相当し、印刷設定編集装置が印刷制御ＰＣ１２に相当する。
【符号の説明】
【０１０７】
１    顧客ＰＣ
２    印刷システム
３    ネットワーク
１１    管理サーバ
１２    印刷制御ＰＣ
１４    プリンタ装置
１５    デバイス装置
１６    ネットワーク
２０    ＰＣ
２１    入力装置
２２    出力装置
２３    記録媒体読取装置
２４    補助記憶装置
２５    主記憶装置
２６    演算処理装置
２７    インタフェース装置
２８    記録媒体
２９    バス
３１    ジョブ制御部
３２    ＵＩ制御部
３３    ジョブ編集部
３４    印刷管理部
３５    プリンタ制御部
５０    ジョブ編集画面
５１    ツリー表示領域
５２    プレビュー領域
５３    例外ページ設定領域
５４    紙種／用紙サイズの例外ページ設定ボタン
５５    プリンタ選択領域
６１〜６４    アイコン
６５    シート番号領域
６６    例外設定領域
７１    例外ページ適用マーク
７２    印刷設定情報
８０    紙種／用紙サイズの例外ページ設定画面
８１    用紙種類選択ボタン
８２    設定内容一覧表示領域
８３    用紙イメージ表示領域
９０    用紙種類選択画面
９１、９２    プルダウンメニュー
９３    用紙イメージ表示領域
【先行技術文献】
【特許文献】
【０１０８】
【特許文献１】特開２００２−１５２４８８号公報
【特許文献２】特開２００４−１８５４８９号公報
【図１】
0005716422.tif 000002
【図２】
0005716422.tif 000003
【図３】
0005716422.tif 000004
【図４】
0005716422.tif 000005
【図５】
0005716422.tif 000006
【図６】
0005716422.tif 000007
【図７】
0005716422.tif 000008
【図８】
0005716422.tif 000009
【図９】
0005716422.tif 000010
【図１０】
0005716422.tif 000011
【図１１】
0005716422.tif 000012
【図１２】
0005716422.tif 000013
【図１３】
0005716422.tif 000014
【図１４】
0005716422.tif 000015
【図１５】
0005716422.tif 000016
【図１６】
0005716422.tif 000017
【図１７】
0005716422.tif 000018
【図１８】
0005716422.tif 000019
【図１９】
0005716422.tif 000020
【図２０】
0005716422.tif 000021
【図２１】
0005716422.tif 000022
【図２２】
0005716422.tif 000023
【図２３】
0005716422.tif 000024
【図２４】
0005716422.tif 000025
【図２５】
0005716422.tif 000026